(57)【要約】【課題】ネズミなどの害獣の忌避効果を従来よりも高める。【解決手段】本発明の害獣忌避装置１０は、紫外線照射ランプ３０による紫外線の照射と、超音波発生器４０による超音波の供給とを併用しており、害獣の嫌がる、紫外線と超音波の２つの刺激手段によって害獣を効果的に忌避できる。また、害獣検知センサ２５を備え、害獣を検知したときのみ紫外線又は超音波の少なくともいずれかを供給する構成とすると、突然の刺激付与により、害獣が驚き、高い忌避効果が期待できる。特に、害獣を検知したときのみ紫外線を照射する構成とすると、紫外線照射ランプ３０が突然点灯するため、驚いた害獣が該紫外線照射ランプ３０を直視する可能性が高まることから、忌避効果が高くなる。【選択図】  図１
2008035793.tif 000002
【特許請求の範囲】
【請求項１】
本体ケースに支持される紫外線照射ランプと、
前記紫外線照射ランプと共に、前記本体ケースに支持される超音波発生器とを具備することを特徴とする害獣忌避装置。
【請求項２】
前記紫外線照射ランプが、前記本体ケースの設置面から、１〜２０ｃｍの高さの範囲に位置するように前記本体ケースに取り付けられていることを特徴とする請求項１記載の害獣忌避装置。
【請求項３】
前記超音波発生器は、発振する超音波の周波数を２０〜３０ｋＨｚの範囲で変化可能に制御されていることを特徴とする請求項１又は２記載の害獣忌避装置。
【請求項４】
前記本体ケースに、さらに、害獣検知センサを備えており、
前記紫外線照射ランプと超音波発生器の少なくとも一つは、前記害獣検知センサによる害獣の検知信号を受信すると駆動するように設定されていることを特徴とする請求項１〜３のいずれか１に記載の害獣忌避装置。
【請求項５】
前記紫外線照射ランプは、前記害獣検知センサによる害獣の検知信号を受信した後、１秒以内に点灯する構成であることを特徴とする請求項４記載の害獣忌避装置。
【請求項６】
前記害獣検知センサにより害獣を所定の設定回数検知したならば、その後の害獣の検知時には、前記紫外線照射ランプは点灯させず、前記超音波発生器のみを駆動させるように設定されていることを特徴とする請求項４又は５記載の害獣忌避装置。
【請求項７】
前記本体ケースに、さらに、人体検知センサを備えており、
前記人体検知センサにより人が検知されている間、前記紫外線照射ランプを点灯させないように設定されていることを特徴とする請求項１〜６のいずれか１に記載の害獣忌避装置。
【請求項８】
前記紫外線照射ランプの背後に、紫外線の照射範囲を集中させるための反射板が設けられていることを特徴とする請求項１〜７のいずれか１に記載の害獣忌避装置。
【請求項９】
害獣を忌避させる対象スペースに配置される、
請求項１〜８のいずれか１に記載の害獣忌避装置と、
害獣検知センサを具備し、害獣の検知信号を受信すると駆動する超音波発生器のみを備えた他の害獣忌避装置とを備えてなることを特徴とする害獣忌避システム。
【請求項１０】
紫外線の照射と超音波を用いて害獣を忌避する害獣忌避方法であって、
所定期間、紫外線の照射と超音波とを併用し、その後、紫外線を照射せずに超音波のみを供給することを特徴とする害獣忌避方法。
【発明の詳細な説明】
【技術分野】
【０００１】
本発明は、ネズミなどの害獣を忌避する技術に関する。
【背景技術】
【０００２】
特許文献１には、紫外線照射ランプを備えたネズミ忌避用照射スタンドが開示されている。照射ランプは、ポールにより所定の高さで設けられており、紫外線照射ランプの上部には反射がさが支持されている。この照射スタンドは、ネズミが出没する区域の床面上に設置され、人がスイッチを操作して、紫外線照射ランプを点灯させて使用される。反射がさにより、紫外線は、該反射がさ下方の所定範囲の床面に照射される。紫外線照射ランプのスイッチを人が操作して点灯させておき、ネズミがこのスタンドに近づいて紫外線照射ランプを直接見ると、紫外線による刺激を受ける。ネズミは、このときの状況を学習して記憶するため、その後、その場所に近づくことを回避するようになる。また、特許文献１には、紫外線照射ランプと共に、赤色系のランプも同時に点滅させることにより、紫外線による刺激を受けた後は、学習効果により、ネズミが該赤色系のランプを見るだけで忌避効果を期待できる旨の記載もある。
【０００３】
一方、特許文献２には、超音波発生器を用い、ネズミを忌避する装置が開示されている。
【特許文献１】特開２００４−８０３５号公報
【特許文献２】特開平８−５６５５１号公報
【発明の開示】
【発明が解決しようとする課題】
【０００４】
特許文献１に記載のネズミ忌避用照射スタンドは、原則的には、紫外線の照射のみによってネズミを忌避するだけである。紫外線によりネズミの撃退効果を上げた後は、赤色系のランプによって、紫外線を照射せずにネズミを忌避させる手段も開示されているが、赤色系のランプは、紫外線照射と併用しない限り、それ自体にネズミの忌避効果はない。また、特許文献２に開示の忌避装置は、超音波のみを利用しているだけである。すなわち、紫外線と超音波といったネズミ忌避効果の高い手段を併用した装置は従来知られていないし、当然のことながら、両者を効率的に組み合わせた装置も知られていない。また、特許文献１に記載のネズミ忌避用照射スタンドは、人が紫外線照射ランプの点灯、消灯を操作する必要があり、一旦点灯させた後は、忌避したい場所において、該紫外線照射ランプは常に点灯されたままである。このため、ネズミがその状態に慣れてしまい、紫外線照射による忌避効果が十分に発揮されないおそれがある。
【０００５】
本発明は上記に鑑みなされたものであり、紫外線の照射と超音波というネズミなどの害獣を忌避する効果の高い手段を効率的に組み合わせ、害獣の忌避効果を従来よりも高めた害獣忌避装置、害獣忌避システム及び害獣忌避方法を提供することを課題とする。
【課題を解決するための手段】
【０００６】
上記課題を解決するため、請求項１記載の本発明では、本体ケースに支持される紫外線照射ランプと、
前記紫外線照射ランプと共に、前記本体ケースに支持される超音波発生器とを具備することを特徴とする害獣忌避装置を提供する。
請求項２記載の本発明では、前記紫外線照射ランプが、前記本体ケースの設置面から、１〜２０ｃｍの高さの範囲に位置するように前記本体ケースに取り付けられていることを特徴とする請求項１記載の害獣忌避装置を提供する。
請求項３記載の本発明では、前記超音波発生器は、発振する超音波の周波数を２０〜３０ｋＨｚの範囲で変化可能に制御されていることを特徴とする請求項１又は２記載の害獣忌避装置を提供する。
請求項４記載の本発明では、前記本体ケースに、さらに、害獣検知センサを備えており、
前記紫外線照射ランプと超音波発生器の少なくとも一つは、前記害獣検知センサによる害獣の検知信号を受信すると駆動するように設定されていることを特徴とする請求項１〜３のいずれか１に記載の害獣忌避装置を提供する。
請求項５記載の本発明では、前記紫外線照射ランプは、前記害獣検知センサによる害獣の検知信号を受信した後、１秒以内に点灯する構成であることを特徴とする請求項４記載の害獣忌避装置を提供する。
請求項６記載の本発明では、前記害獣検知センサにより害獣を所定の設定回数検知したならば、その後の害獣の検知時には、前記紫外線照射ランプは点灯させず、前記超音波発生器のみを駆動させるように設定されていることを特徴とする請求項４又は５記載の害獣忌避装置を提供する。
請求項７記載の本発明では、前記本体ケースに、さらに、人体検知センサを備えており、
前記人体検知センサにより人が検知されている間、前記紫外線照射ランプを点灯させないように設定されていることを特徴とする請求項１〜６のいずれか１に記載の害獣忌避装置を提供する。
請求項８記載の本発明では、前記紫外線照射ランプの背後に、紫外線の照射範囲を集中させるための反射板が設けられていることを特徴とする請求項１〜７のいずれか１に記載の害獣忌避装置を提供する。
請求項９記載の本発明では、害獣を忌避させる対象スペースに配置される、
請求項１〜８のいずれか１に記載の害獣忌避装置と、
害獣検知センサを具備し、害獣の検知信号を受信すると駆動する超音波発生器のみを備えた他の害獣忌避装置とを備えてなることを特徴とする害獣忌避システムを提供する。
請求項１０記載の本発明では、紫外線の照射と超音波を用いて害獣を忌避する害獣忌避方法であって、
所定期間、紫外線の照射と超音波とを併用し、その後、紫外線を照射せずに超音波のみを供給することを特徴とする害獣忌避方法を提供する。
【発明の効果】
【０００７】
本発明によれば、紫外線照射ランプによる紫外線の照射と、超音波発生器による超音波の供給とを併用しており、ネズミなどの害獣が嫌がる、紫外線と超音波の２つの刺激手段によって害獣を効果的に忌避できる。また、害獣検知センサを設け、害獣を検知したときのみ紫外線又は超音波の少なくともいずれかを供給する構成とすると、突然の刺激付与により、害獣が驚き、忌避効果が高くなる。特に、害獣を検知したときのみ紫外線を照射する構成とすると、紫外線照射ランプが突然点灯するため、驚いた害獣が該紫外線照射ランプを直視する可能性が高まることから、忌避効果が高くなる。超音波の場合も、長時間、超音波を供給し続けることによる音慣れを抑制できるため、忌避効果が高くなる。
【０００８】
また、紫外線と超音波の両者を併用することを所定期間のみ行い、その後は、紫外線を照射せずに超音波のみを供給する構成とすることもできる。所定期間の併用により、害獣は、超音波を聴取すると、同時に紫外線も照射されるということを学習するため、所定期間経過後は、超音波を聴取するだけで、より強い刺激の紫外線を避けようとし、超音波のみによっても、紫外線を併用していたときと同様の忌避効果が期待できる。これにより、紫外線照射に伴う消費電力を低減でき、経済的である。
【発明を実施するための最良の形態】
【０００９】
以下、本発明の実施形態を図面に基づいて更に詳しく説明する。図１は、本実施形態の害獣忌避装置１０を示す図である。この図に示したように、害獣忌避装置１０は、本体ケース２０を備え、この本体ケース２０に支持される紫外線照射ランプ３０と超音波発生器４０を有して構成される。
【００１０】
本体ケース２０は、本実施形態では略筒形に形成され、正面には、紫外線を照射するための紫外線照射口２１が開口されている。本体ケース２０内に、紫外線照射ランプ３０が支持されるが、紫外線照射ランプ３０が点灯すると、この紫外線照射口２１を介して本体ケース２０の外部に紫外線が照射される。このため、紫外線照射口２１及び紫外線照射ランプ３０は、紫外線照射ランプ３０をネズミなどの害獣が直視しやすい高さに設けることが好ましい。害獣忌避装置１０は、ネズミなどの害獣を忌避したい所定の区域（建物内の居室、厨房、廊下など）に設置されるが、設置面から１〜２０ｃｍの高さとなる位置に設けることが好ましい。具体的には、本体ケース２０が、図１に示したように、底部に突出させた脚部２０ａを備える場合には、該脚部２０ａと設置面との接触位置から１〜２０ｃｍ、脚部２０ａを備えない場合には、本体ケース２０の底面から１〜２０ｃｍの範囲の高さに設けることが好ましい。
【００１１】
超音波発生器４０は、本体ケース２０に取り付けられて支持されていればよく、取り付け位置は特に限定されない。本実施形態では、本体ケース２０の内部に超音波発生器４０を支持させている。但し、超音波発生器４０は、その発振回路からの超音波の周波数が、２０〜３０ｋＨｚの範囲となるように設定されることが好ましい。代表的な害獣であるネズミはこの範囲の周波数の超音波を特に忌避するからである。また、単一波長の場合、害獣の音慣れにより忌避効果が低下する可能性があるので、２０〜３０ｋＨｚの範囲で、周波数が変化するように設定されていることがより好ましい。さらには、例えば、可変抵抗器を用いて、周波数の変化周期を調整可能とすると音慣れを防ぐのにより効果的である。なお、これらの制御は、害獣忌避装置１０にコンピュータ（図示せず）を接続して、コンピュータ制御することももちろん可能である。
【００１２】
本体ケース２０には、害獣検知センサ２５が付設されている。害獣検知センサ２５は、例えば、赤外線センサなどを用いることができる。害獣検知センサ２５の検出距離を適宜に調整することにより、害獣がこの検出距離内の領域に入ると、害獣を検知する。害獣検知センサ２５は、害獣を検知すると、その検知信号を紫外線照射ランプ３０又は超音波発生器４０の駆動制御部（図示せず）に送信する。これにより、紫外線照射ランプ３０と超音波発生器４０のいずれか少なくとも一つが駆動する。
【００１３】
紫外線照射ランプ３０又は超音波発生器４０は、人がスイッチ（図示せず）を操作することによってＯＮ・ＯＦＦさせる構成とすることもできるが、この場合には、一旦スイッチをＯＮさせると、常に、紫外線照射ランプ３０が点灯し、超音波発生器４０からは超音波が供給されていることになる。しかしながら、上記した害獣検知センサ２５を設けることにより、紫外線照射ランプ３０又は超音波発生器４０を常時ＯＮ状態にしておく必要がなく、害獣が近づいたときのみ駆動することで、消費電力の低減効果がある。これにより、本実施形態の害獣忌避装置１０を電池で駆動することも可能になり、可搬性が高まり、設置場所の自由度も向上する。特に、紫外線照射ランプ３０を害獣検知センサ２５により検知されたときに駆動する構成とすることで、害獣が近づいたときに突然、紫外線照射ランプ３０が点灯する。このため、害獣がこれに驚き、紫外線照射ランプ３０を直視する可能性が高くなり、害獣の受けるショックも大きくなる。害獣がより大きなショックを受けるようにするため、紫外線照射ランプ３０は、害獣検知センサ２５により検知した後、瞬時に点灯するもの、好ましくは１秒以内に点灯するものを用いることが望ましい。
【００１４】
本体ケース２０には、さらに、人体検知センサ２６を設けておくことが好ましい。人体検知センサ２６によって人の接近を検知した場合には、紫外線照射ランプ３０が点灯しない回路構成にする。例えば、人体検知センサ２６が人の接近を感知すると、点灯している紫外線照射ランプ３０が所定時間、消灯する構成としたり、あるいは、人体検知センサ２６が人の接近を感知している間、スイッチ操作しても、若しくは、害獣検知センサ２５により害獣を検知しても、紫外線照射ランプ３０が点灯しない構成とすることができる。
【００１５】
本実施形態の害獣忌避装置１０は次のように使用される。まず、害獣、例えばネズミを忌避しようとする部屋などの床面上に置き、電源コード２７をコンセントに差し込む。これにより、電源コード２７をコンセントに差し込んだだけでは、紫外線照射ランプ３０及び超音波発生器４０とも駆動しないが、害獣検知センサ２５及び人体検知センサ２６がＯＮされ、動作可能になる。かかる状態で、害獣忌避装置１０の所定の距離の範囲にネズミが近づくと、害獣検知センサ２５により検知され、紫外線照射ランプ３０が点灯すると共に、超音波発生器４０から所定周波数の超音波が供給される。これにより、ネズミは、紫外線照射ランプ３０を直視し、目に強い刺激を受けると共に、超音波によって聴覚的に不快な刺激も受ける。この結果、当該領域に接近した際の痛み、不快を学習し、当該領域に接近することを忌避するようになる。
【００１６】
このとき、本実施形態のように害獣検知センサ２５によるネズミの検知によって初めて、かつ瞬時に紫外線照射ランプ３０が点灯する構成とすることにより、ネズミに対してより強い刺激を付与でき、上記したように、高い忌避効果が期待できる。なお、人体検知センサ２６により人の接近を検知した場合には、紫外線照射ランプ３０を点灯させないようにすることは上記したとおりである。
【００１７】
紫外線に加え、超音波による刺激も併せて付与することにより、高い忌避効果が期待できるが、紫外線照射ランプ３０と超音波発生器４０の両者を動作させることは、所定期間のみでよく、その後は、超音波発生器４０によって所定周波数の超音波のみを供給する構成とすることもできる。これは、ネズミなどの害獣の学習効果を利用したものであり、所定期間両者を併用すれば、超音波の聴取と紫外線による目への刺激が密接に関連づけられて記憶されるため、超音波を供給するだけで、紫外線による目への刺激を避けようとして当該領域に接近しないようになるからである。この結果、電力消費の低減等を図ることができる。
【００１８】
紫外線照射ランプ３０と超音波発生器４０の両方を駆動させる期間は、例えば、害獣忌避装置１０を設置してから１週間というように決定することもできるが、本実施形態では、害獣検知センサ２５を備えているため、この害獣検知センサ２５による検知回数によって決定することが好ましい。例えば、害獣検知センサ２５が１０回ネズミなどの害獣を検知したならば、１１回目に以降の検知においては超音波発生器４０のみを駆動する設定にする。検知回数に基づいて決定することにより、ネズミなどの害獣が２つの刺激を受けた度合いを予測できるため、十分な学習効果が得られているか否かの判断がしやすくなる。また、害獣検知センサ２５による検知回数により、当該領域における害獣の生息数をおおよそ推定できるため、害獣忌避装置１０の設置台数等を決定する際の参考にもなる。
【００１９】
なお、紫外線照射ランプ３０の背後には、図２に示したように、紫外線が所定の照射範囲に集中して照射されるような反射板３１を設けることが好ましい。害獣が当該照射範囲を通過する際に、より強い刺激を受けることから、より高い忌避効果が期待できる。
【００２０】
また、上記実施形態では、紫外線照射ランプ３０と超音波発生器４０の両者を備えるネズミ忌避装置１０を１台用いて、所定期間、紫外線の照射と超音波の供給の両方を実行した後、超音波の供給のみを行うように設定しているが、害獣を忌避しようとする領域の広さ等によっては、複数台設置してもよい。また、上記害獣忌避装置１０を少なくとも１台設置する一方、超音波発生器４０のみを備えた他の害獣忌避装置（図示せず）を少なくとも１台設置した害獣忌避システムとすることもできる。この場合には、所定期間経過するまで（害獣検知センサ２５により所定回数するまで）は、上記実施形態の害獣忌避装置１０を駆動させ、その後は、超音波発生器４０のみを備えた他の害獣忌避装置だけを駆動させるようにすることができる。特に、広い領域において害獣の忌避を実行する場合、害獣の学習効果を利用して、このようなシステムとすることで、コストの低減を図ることができる。
【００２１】
また、上記実施形態では、害獣検知センサ２５を備えた構成とし、ネズミなどの害獣が近づいたときのみ紫外線照射等を行っているが、害獣検知センサ２５を備えない構成とした場合には、電源コード２７をコンセントに差し込むことで、あるいは、スイッチ（図示せず）を手動操作することで、紫外線照射ランプ３０と超音波発生器４０とを駆動させるようにする。この場合でも、紫外線と超音波というネズミなどの害獣が嫌がる２つの刺激手段を付与できるため、従来よりも高い忌避効果が期待できることはもちろんである。
【図面の簡単な説明】
【００２２】
【図１】本発明の一の実施形態に係る害獣忌避装置を示す正面図である。
【図２】紫外線照射ランプの背後に反射板を配置した構成を示すため、本体ケースの一部を切り欠いた図である。
【符号の説明】
【００２３】
１０  害獣忌避装置
２０  本体ケース
２１  紫外線照射口
２５  害獣検知センサ
２６  人体検知センサ
３０  紫外線照射ランプ
３１  反射板
４０  超音波発生器
【図１】
2008035793.tif 000003
【図２】
2008035793.tif 000004